(57)【要約】【課題】足場を踏み外すことなく作業を行うための建築足場用幅木を提供すること。【解決手段】所定間隔をおいて配置された支柱１６間に配置される長尺に形成された幅木本体２を備えた建築足場用幅木１は、内側に配置される幅木端部３、４と外側に配置される係合板７、１１とによって、支柱１６を前後方向から挟むようにして係合され固定される。同係合板７，１１は同踏板１８の縁部に沿った方向への移動を規制する手段としての張出し部９，１３を備えている。また、同係合板７，１１は切断部５，６より幅狭とされ、幅木本体中央位置を挟んで左右対称とされている。このように構成することで、建築足場用幅木１を支柱１６間に落とし込むだけで容易に固定することが可能となる。また、複数の幅木を積載することが可能となる。【選択図】        図８
2004176310.tif 000002
【特許請求の範囲】
【請求項１】
所定間隔で立設配置された複数の支柱と、同支柱と交差するように配設された複数の梁部材と、同梁部材又は同支柱に対して架設された通路用の踏み板とから基本的骨格が構築された建築足場における前記踏み板の縁部に沿った足元位置に配置される建築足場用幅木において、
所定間隔をおいて配置された前記第１及び第２の支柱間に配置される長尺に形成された幅木本体と、
同幅木本体の長手方向の両側端部付近にそれぞれ配設されるとともに、同各側端部と対向配置され同各側端部との間で前記第１及び第２の支柱をそれぞれ挟持する第１及び第２の挟持部を備えた一対の係合体と、
同挟持部と前記両側端部とによって同第１及び第２の支柱を挟持した状態で前記踏み板の縁部に沿った方向への移動を規制する規制手段とを備えるようにしたことを特徴とする建築足場用幅木。
【請求項２】
前記規制手段は前記第１及び第２の挟持部を支持するとともに同両挟持部よりも内側寄りにて張り出し形成された前記係合体の一部をなす張り出し部であることを特徴とする請求項１に記載の建築足場用幅木。
【請求項３】
前記幅木本体の両側端部にはそれぞれ切り欠き状の凹部が形成されるとともに、同凹部幅よりも幅狭に形成された前記係合体は同凹部に面して配置されることを特徴とする請求項１又は２に記載の建築足場用幅木。
【請求項４】
前記幅木本体及び同幅木本体の両側端部に配設された係合体は同幅木本体中央位置を挟んで左右対称に構成されていることを特徴とする請求項１〜３のいずれかに記載の建築足場用幅木。
【発明の詳細な説明】
【０００１】
【発明の属する技術分野】本発明は、建築現場等に仮設される足場に配設される足場用の幅木に関するものである。
【０００２】
【従来の技術】一般に建築現場等に仮設される足場は、所定の間隔で立設された支柱と、梁部材（手摺り、ブラケット等）とを縦横に組み合わせ梁部材に踏み板を架設することで基本的骨格が構築されている。作業者はこの踏み板上で作業をし、また、踏み板上を移動する。
【０００３】
【発明が解決しようとする課題】しかしながら、作業者が作業中に踏板上で足の位置を動かす場合や踏板を移動する場合に必ずしも足下を注視しているわけではない。むしろ作業に没頭すれば足下はそれほど気にせずに踏み板上で行動することが多いといえる。その場合に思わず踏み板の外側に足を踏み外してしまうような場合がある。足場には支柱や手摺りがあるため作業者が落下するわけではないが、体勢が崩れて物が落下したりする原因ともなる。また、作業者の心理的にもこのような踏み外しがあると思うと作業に没頭できない可能性もある。
本発明は、上記課題を解決するためのものである。その目的は、足場を踏み外すことなく作業を行うための建築足場用幅木を提供することにある。
【０００４】
【課題を解決するための手段】上記課題を解決するために、請求項１の発明では、所定間隔で立設配置された複数の支柱と、同支柱と交差するように配設された複数の梁部材と、同梁部材又は同支柱に対して架設された通路用の踏み板とから基本的骨格が構築された建築足場における前記踏み板の縁部に沿った足元位置に配置される建築足場用幅木において、所定間隔をおいて配置された前記第１及び第２の支柱間に配置される長尺に形成された幅木本体と、同幅木本体の長手方向の両側端部付近にそれぞれ配設されるとともに、同各側端部と対向配置され同各側端部との間で前記第１及び第２の支柱をそれぞれ挟持する第１及び第２の挟持部を備えた一対の係合体と、同挟持部と前記両側端部とによって同第１及び第２の支柱を挟持した状態で前記踏み板の縁部に沿った方向への移動を規制する規制手段とを備えるようにしたことをその要旨とする。
このような構成において建築足場用幅木を踏み板の縁部に沿った足元位置に配置させる場合には対向配置された幅木本体の両端部と挟持部とによって同第１及び第２の支柱を挟むようにして係合させる。そして、規制手段によって踏み板の縁部に沿った方向への移動を規制する。
【０００５】請求項２の発明では請求項１の発明の構成に加え、前記規制手段は前記第１及び第２の挟持部を支持するとともに同両挟持部よりも内側寄りにて張り出し形成された前記係合体の一部をなす張り出し部としたことをその要旨とする。これによって幅木を斜めに傾けた状態で第１及び第２の支柱間に配置させ水平にして両側端部と挟持部との間で挟持させるという簡単な装着が可能となる。
【０００６】
請求項３の発明では請求項１又は２の発明の構成に加え、前記幅木本体の両側端部にはそれぞれ切り欠き状の凹部が形成されるとともに、同凹部幅よりも幅狭に形成された前記係合体は同凹部に面して配置されるようにしたことをその要旨とする。
このように構成することで請求項１の発明の作用に加え、建築足場用幅木を積載する際、隣接する幅木の凹部から当該係合体を露出させることができるため、幅木本体を重ねた場合に係合体が隣接する幅木と当接することがないため、複数の幅木を積載することが可能となる。
請求項４の発明では請求項１〜３のいずれかの発明の構成に加え、前記幅木本体及び同幅木本体の両側端部に配設された係合体は同幅木本体中央位置を挟んで左右対称に構成したことをその要旨とする。
【０００７】
【発明の効果】上記請求項１〜４に記載の発明のように構成すれば、作業者は足場を踏み外すことなく作業を行うことができるとともに、第１及び第２の支柱間に落とし込むだけで容易に建築足場用幅木を固定することができるため、建築足場用幅木の取り付け作業が迅速化する。
【０００８】
【発明の実施の形態】以下、本発明の具体的な実施の形態を図面に基づいて説明する。尚、以下の説明において前方とは図１における下方向を、後方とは同図における上方向を言うものとする。また、左とは図２における左方向を、右とは同図における右方向を、上とは同図における上方向を、下とは同図における下方向を言うものとする。
図１〜図５に示すように、建築足場用幅木（以下、単に幅木という）１は所定の厚みの鋼板を折り曲げて形成した外形直方体形状の中空の幅木本体２を備えている。同幅木本体２の左右長手方向の両側端中央部には方形に切断された凹部としての左側切断部５及び右側切断部６が形成されている。同左側切断部５の上下に形成された幅木本体２の左側端上下部は所定の支柱と係合するためのの幅木端部３とされている。また、同右側切断部６の上下に形成された幅木本体２の右側端上下部は所定の支柱と係合するための幅木端部４とされている。
尚、幅木端部３と幅木端部４の形状、大きさは同一で、左右対称とされている。また、左側切断部５と右側切断部６の形状、大きさは同一で、左右対称とされている。
【０００９】
左側切断部５には所定の支柱と係合するための第１の係合体としての係合板７が配設されている。
金属製の係合板７は板体を湾曲形状に折り曲げて形成されており、幅木本体２に固着された固着部８と同固着部８から前方に延出された張出し部９と同張出し部９から幅木本体２と平行に左方向に延びた係合部１０とを備えている。尚、同係合部１０は幅木端部３と対向配置されている。また、固着部８は左側切断部５から幅木本体２の中空内に挿入され、幅木本体２の中空内面側に所定のリベット１５によって幅木本体２と平行に固着されている。尚、固着部８の上下の幅は左側切断部５の上下の幅より若干小さいものとされる。
【００１０】
右側切断部６には所定の支柱と係合するための第２の係合体としての係合板１１が配設されている。
尚、第１及び第２の係合部材としての係合板７，１１の形状、大きさは同一とされ、左右対称となるように配置されている。
以下、係合板１１について係合板７と同様に説明する。
金属製の係合板１１は板体を湾曲形状に折り曲げて形成されており、幅木本体２に固着された固着部１２と同固着部１２から前方に延出された張出し部１３と同張出し部１３から幅木本体２と平行に右方向に延びた係合部１４とを備えている。尚、同係合部１４は幅木端部４と対向配置されている。また、固着部１２は右側切断部６から幅木本体２の中空内に挿入され、幅木本体２の中空内面側に所定のリベット１５によって幅木本体２と平行に固着されている。尚、固着部１２の上下の幅は右側切断部６の上下の幅より若干小さいものとされる。
【００１１】
次に、このように構成された幅木１の使用方法を図６〜図１１に基づいて説明する。図に示すように、建築現場において、所定の間隔で立設配置された複数の金属製の支柱１６と、同支柱１６に対して直行する方向に延出され同支柱１６に片持ちに支持された梁部材としての複数の金属製のブラケット１７と、同ブラケット１７にフック１９が係合されることによって架設された足場の各階の床面としての複数の金属製の踏板１８とから基本的骨格が構築された建築足場が、被建築物の外壁Ｗに沿って連設されているものとする。
図６に示すように、幅木本体２の左右方向の長さは支柱間隔と略同一とされているため、支柱間隔を通すことができるように、正面視において幅木１を斜めに傾けて（ここでは、幅木端部３側を右下に下げ、幅木端部４側を左上に上げて）支柱１６間に対して内側方向から接近させる。
【００１２】
次に、図６の仮想線に示すように、幅木１を、幅木端部３と第１の係合体としての係合板７とによって、前後方向から支柱１６を挟むようにして係合させていく。そして、幅木端部４と第２の係合体としての係合板１１を矢印（ａ）の方向から支柱１６に係合させていき、踏板１８と平行状態で支柱１６間に配置させる。この時、幅木１は、内側に配置される幅木端部３、４と外側に配置される係合板７、１１とによって、支柱１６を前後方向から挟むようにして係合され固定されることとなる。
この状態で、図７〜図８に示すように、幅木１は踏板１８の縁部と略平行に、幅木本体２の両下端部がブラケット７の上に載置されるように配設される。
このように配設された幅木１は図９、図１０に示すように隣接する幅木間の間隙がほぼなくなるとともに、幅木本体２の表面部分が繋がるように連設されることとなる。
尚、このように構成された幅木１は、図１１に示すように、複数の幅木１を矢印方向に積載する際、左右の切断部５、６から同じ上方向に張出した係合板７、１１と、上下に相対する別の幅木１の係合板７、１１とが、各々被さるようにして積み重ねることが可能となる。
【００１３】
このように構成することにより本実施の形態の幅木１は以下のような効果を奏する。
（１）作業者が踏板１３の上を移動する場合又は作業中に足の位置を動かす場合において、上記実施の形態の幅木１が配設されていることにより踏板１３から踏み外しにくくなる。従って建築作業に集中でき、作業の効率化を図ることができる。
（２）幅木１は、幅木端部３、４と、同幅木端部３、４と対向配置された係合部１０、１４を有する係合板７、１１とによって支柱１６を前後方向から挟むようにして係合させることによって、幅木本体２が一種のつっかい棒となって支柱６から外れることがない。つまり、幅木１を支柱１６に係合させるだけで離間不能となり、ロック手段等の固定手段を備えていなくても幅木１を支柱１６間に固定することが可能となっている。
（３）幅木１は、支柱１６間に対して斜めに傾けて接近させ、幅木端部３と係合板７とによって前後方向から支柱１６を挟むようにして係合させていき、その後幅木端部４と係合板１１とによって、前後方向から支柱１６を挟むようにして係合させるだけで固定されるため、配設が容易である。
（４）幅木本体２の左右方向の長さは支柱間隔と略同一とされているため、図９、図１０に示すように、隣接する幅木間の間隙がほぼなくなるとともに、幅木本体２の表面部分が繋がるように連設されることとなる。
（５）図１１に示すように、幅木１は、複数の幅木１を積載する際、左右の切断部５、６から同じ上方向に張出した係合板７、１１と、上下に相対する別の幅木１の係合板７、１１とが、各々被さるようにして積み重ねることが可能となるため、格納の際にスペースを取らずなおかつ作業及び運搬の効率化を図ることができる。
【００１４】
なお、この発明は前記実施の形態に限定されるものではなく、次のように変更して具体化することも可能である。
・上記実施の形態では、幅木１は所定の厚みの鋼板を折り曲げて形成した外形直方体形状の中空の幅木本体２を備えているとしたが、幅木本体２は中空の外形長方形形状でなくてもよく、形状は自由とし、図１２、図１３に示すような態様でも構わない。また、幅木本体２を踏板１８のように網状体で構成するようにしてもよい。このように構成すれば風の抵抗が少なくなる。
・幅木本体２の左右長手方向の両端中央部には方形に切断された左側切断部５及び右側切断部６が形成されているとしたが、両切断部の形状は自由とする。
また、切り欠き状の凹部としての同左側切断部５及び右側切断部６は切断以外の方法等で形成された他の態様でも構わない。
・第１、第２の係合体としての幅木端部３、４の形状、大きさは自由とする。
・幅木端部３、４及び係合板７、１１の配設位置は上記実施の形態に限らず、図１４に示すように、幅木端部３、４及び係合板７、１１が正面視においていわゆるたすきがけとなるように配設しても構わない。
・第１、第２の係合体としての係合板７、１１の形状、大きさは自由とするが、幅木端部３、４とによって、前後方向から支柱１６を挟むようにして係合できる態様が望ましい。
・固着部８、１２、張出し部９、１３及び係合部１０、１４の形状、大きさは自由とする。
・上記実施の形態では、固着部８、１２は左右切断部５、６から幅木本体２の中空内に挿入され、幅木本体２の中空内面側に所定のリベット１５によって幅木本体２と平行に固着されているとしたが、係合板７、１１を固着する位置や固着方法は、本発明の目的を達成できればその他の態様でもかまわない。
・係合板７、１１は幅木本体２と一体成型された態様でも構わない。
・幅木本体２等の各部材の材質は金属製としたが、本発明の目的を達成できればその他の素材でも構わない。
【００１５】
・上記実施の形態では、幅木本体２の左右方向の長さは支柱間隔と略同一とされているため、支柱間隔を通すことができるように、正面視において幅木１を斜めに傾けて（ここでは、幅木端部３側を右下に下げ、幅木端部４側を左上に上げて）支柱１６間に対して内側方向から接近させるとしたが、幅木端部４側を左下に下げ、幅木端部３側を右上に上げて支柱間を通す方法等本発明の目的を達成できればその他の使用態様でも構わない。
・上記実施の形態では、幅木端部３と係合板７とによって前後方向から支柱１６を挟むようにして係合させていき、その後、幅木端部４と係合板１１を矢印（ａ）の方向から支柱１６に係合させるとしたが、幅木端部４と係合板１１とによって前後方向から支柱１６を挟むように係合させていき、その後幅木端部３と係合板７を支柱１６に係合させていく方法等本発明の目的を達成できればその他の使用態様でも構わない。
・上記実施の形態では幅木１の使用方法として、建築現場において、所定の間隔で立設配置された複数の金属製の支柱１６と、同支柱１６に対して直行する方向に延出され同支柱１６に片持ちに支持された梁部材としての複数の金属製のブラケット１７と、同ブラケット１７にフック１９が係合されることによって架設された足場の各階の床面としての複数の金属製の踏板１８とから基本的骨格が構築された建築足場が、被建築物の外壁Ｗに沿って連設されているものとしたが、幅木１を使用できる足場の態様は上記実施の形態に限定されない。
その他、本発明の趣旨を逸脱しない態様で実施することは自由である。
【００１６】
【図面の簡単な説明】
【図１】本発明の実施の形態１の幅木の平面図。
【図２】同じ幅木の正面図。
【図３】同じ幅木の側面図。
【図４】同じ幅木の斜視図（前方）。
【図５】同じ幅木の斜視図（後方）。
【図６】同じ幅木の、配設方法を説明する概念正面図。
【図７】同じ幅木が支柱に対して係合された状態の要部正面図。
【図８】同じ幅木が支柱に対して係合された状態の要部斜視図。
【図９】同じ幅木が所定の足場に連設された状態の平面図。
【図１０】同じ幅木が所定の足場に連設された状態の正面図。
【図１１】同じ幅木が、複数積載された状態を説明する要部概念図。
【図１２】同じ幅木の幅木本体２の別例（１）の幅木端部の要部斜視図。
【図１３】同じ幅木の幅木本体２の別例（２）の幅木端部の要部斜視図。
【図１４】本発明の幅木の別例（幅木端部２ａ、２ｂ及び係合板３、４が正面視においていわゆるたすきがけとなるように配設された態様）の正面図。
【符号の説明】
１…建築足場用幅木、２…幅木本体、３…幅木端部、４…幅木端部、７、…第１の係合体としての第１の係合板、１１…第２の係合体としての第２の係合板、１６…支柱、１７…ブラケット、１８…踏板、Ｗ…被建築物の外壁。
【図１】
2004176310.tif 000003
【図２】
2004176310.tif 000004
【図３】
2004176310.tif 000005
【図４】
2004176310.tif 000006
【図５】
2004176310.tif 000007
【図６】
2004176310.tif 000008
【図７】
2004176310.tif 000009
【図８】
2004176310.tif 000010
【図９】
2004176310.tif 000011
【図１０】
2004176310.tif 000012
【図１１】
2004176310.tif 000013
【図１２】
2004176310.tif 000014
【図１３】
2004176310.tif 000015
【図１４】
2004176310.tif 000016